(57)【特許請求の範囲】
【請求項１】
上下方向縦向きの筒体状増殖用モジュールと、該増殖用モジュールの周側面を覆って設けられるコンクリート部とを備え、
上記増殖用モジュールは、上端開口及び下端開口が格子材で封鎖されたケーシングと、該ケーシング内部に設けられた充填層と生息用空間層とから構成され、
上記充填層は、充填される多数の充填材間に、上記上端開口及び上記下端開口と連通されて海水が流通される通水経路が形成され、
上記生息用空間層は、充填される多数の充填材中に、上記通水経路に流通する海水が流れ込み、また当該通水経路へと流れ出すように、上記通水経路と相互に通水可能な洞空間を形成する立体フレームパーツが分散配置されて構成され、
上記生息用空間層は、上記ケーシング内部で、上記充填層の間に配置して設けられ、
上記充填材は、アーチ状の瓦を割った割瓦であり、上記増殖用モジュールを上から見下ろして、アーチが目視されるように立てて充填され、
海水が、上記充填層の上記通水経路を流通し、当該通水経路から、上記生息用空間層中の上記洞空間へ流入し、当該洞空間から流出するように構成したことを特徴とする増殖礁。
【請求項２】
前記生息用空間層は、前記充填層に対し、上下に重ねて配置されることを特徴とする請求項１に記載の増殖礁。
【発明の詳細な説明】
【技術分野】
【０００１】
本発明は、耐久性や腐食による強度劣化を避けることが可能であり、大きな波力が加わる浅海域に安定的に設置することが可能であると共に、コストアップを生じることなく、飼料生物を増殖させる十分な表面積を確保することが可能で、さらに、表面側から内奥側に亘る全体で、恒常的に良好な潮通しを確保することが可能で、効率的な増殖作用を長期間にわたって確保できる増殖礁に関する。
【背景技術】
【０００２】
浅瀬である浅海域は、波高が頻繁に上下し、波速も速く、波の影響を受けやすい厳しい環境である。このような浅海域に設置され、魚介類などの餌となる飼料生物を育成し増殖させる増殖礁は、耐久性や腐食による強度劣化を防ぐために、コンクリートブロックや石材を充填した石籠の形態で形成されている。石籠の場合、容易に動いてしまうことがないように、コンクリート製土台上に載せて設置する場合もある。
【０００３】
多くの場合、増殖礁は、波力によって動かされることを避けるために、重量を確保しやすいコンクリートブロックで形成されている。飼料生物は増殖礁の表面に付着して増殖していくため、生物量は、コンクリートブロックの表面積の広さ次第となる。コンクリートブロックでは、表面積を広くしようとすると、その分材料費が嵩み、コストアップになってしまう。
【０００４】
石籠に多数の石材を詰めてコンクリート製土台に設置する方法だと、詰め込んだ石材個々の表面積により、コンクリートブロックの場合よりも、広い表面積を確保できる。石籠では、石材同士の間の狭い隙間に海水等が流れ、これにより潮通しが確保される。
【０００５】
多数の石材を単に充填しただけの石籠では、石材同士の隙間は、石籠の表面側でも、また内奥側でも、狭いものであり、恒常的な潮通しを石籠全体に確保することが難しく、次第に目詰まりが広がっていくと共に、石材同士が締め固まっていく経年劣化も相俟って、石材間の隙間がさらに狭まり、あるいは消失してしまって、結局、石籠の場合も、コンクリートブロックと同様に、飼料生物は石籠の表面でしか増殖しない。
【０００６】
コンクリート製土台を有する石籠では、石籠が受ける波力を土台で受けるため、安定的に設置するためには、土台が大型化し、そのためにコストアップになるという不利な点もある。
【０００７】
この種の増殖礁に関する技術として、特許文献１及び２が知られている。特許文献１の「人工魚礁ブロックおよび人工魚礁」は、従来のコンクリートブロックの人工魚礁に比べて、より安価に製造でき、付着性動植物の増殖が速く、自然環境を汚すことがなく、かつ、貝殻という産業廃棄物を利用することが可能な人工魚礁ブロックの実現を課題とし、海底に沈めて魚礁を構成する人工魚礁ブロックを、外周を形成する普通コンクリート体と、この普通コンクリート体外周部内に設けられた貝殻ポーラスコンクリート成形体とで構成している。
【０００８】
特許文献２の「丸鋼で加工した石籠の構造物」は、従来、金網篭を使用した石篭やコンクリートと複合して木の枝を立て込みながら魚礁林を海底に構築する魚類の増殖林などが提供されているが、前者には網加工の技術者が必要なこと、石を入れる石工技術者の問題、後者には公害汚染の問題があるとの課題に対し、石篭本体と石篭蓋部と大割石などの石から構成され、石篭本体は、丸鋼を四角目合いに溶接した網状体をもって形成された平面方形の底面枠と、底面枠の前後辺に起立する前後面枠と、底面枠の左右辺に起立する左右面枠から構成され、各枠は丸鋼コイルで連結され、石篭本体に大割石などの石を詰め込み、石篭蓋部をかぶせて、石篭蓋部の四辺と石篭本体とを丸鋼コイルで連結して構成している。石篭本体には、外側に面して、空間を形成する魚の隠れ家用円筒状網篭が部分的に配設されている。
【先行技術文献】
【特許文献】
【０００９】
【特許文献１】特開２００４−１６６６５５号公報
【特許文献２】特開平１１−２９３６４４号公報
【発明の概要】
【発明が解決しようとする課題】
【００１０】
特許文献１の貝殻ポーラスコンクリート成形体は、ポーラスが小さくかつ狭いため、潮通しに難点があり、十分な増殖作用が得られにくく、また、低強度かつ軽量であるため、耐久性が懸念されると共に、浅海域に安定的に設置するためには、普通コンクリート体を大型化する必要があって、コストアップになってしまうという課題がある。
【００１１】
特許文献２では、石篭本体内に、石を詰め込むことに加えて、空間を形成できる網篭が外側に面して部分的に配設されているが、石篭本体の内奥には、石同士の狭い隙間が形成されるだけであり、石篭本体に恒常的な潮通しを確保することが難しく、やはり次第に目詰まりが広がっていくと共に、石材同士が締め固まっていく経年劣化も相俟って、石間の隙間がさらに狭まり、あるいは消失してしまって、結局、飼料生物は石籠本体の表面でしか増殖できないという課題がある。
【００１２】
また、ウエイトとなるコンクリート部分が見受けられない分、重量不足が懸念され、浅海域に安定的に設置しておくことが難しいという課題がある。
【００１３】
本発明は上記従来の課題に鑑みて創案されたものであって、耐久性や腐食による強度劣化を避けることが可能であり、大きな波力が加わる浅海域に安定的に設置することが可能であると共に、コストアップを生じることなく、飼料生物を増殖させる十分な表面積を確保することが可能で、さらに、表面側から内奥側に亘る全体で、恒常的に良好な潮通しを確保することが可能で、効率的な増殖作用を長期間にわたって確保できる増殖礁を提供することを目的とする。
【課題を解決するための手段】
【００１４】
本発明にかかる増殖礁は、上下方向縦向きの筒体状増殖用モジュールと、該増殖用モジュールの周側面を覆って設けられるコンクリート部とを備え、上記増殖用モジュールは、上端開口及び下端開口が格子材で封鎖されたケーシングと、該ケーシング内部に設けられた充填層と生息用空間層とから構成され、上記充填層は、充填される多数の充填材間に、上記上端開口及び上記下端開口と連通されて海水が流通される通水経路が形成され、上記生息用空間層は、充填される多数の充填材中に、上記通水経路に流通する海水が流れ込み、また当該通水経路へと流れ出すように、上記通水経路と相互に通水可能な洞空間を形成する立体フレームパーツが分散配置されて構成され、上記生息用空間層は、上記ケーシング内部で、上記充填層の間に配置して設けられ、上記充填材は、アーチ状の瓦を割った割瓦であり、上記増殖用モジュールを上から見下ろして、アーチが目視されるように立てて充填され、海水が、上記充填層の上記通水経路を流通し、当該通水経路から、上記生息用空間層中の上記洞空間へ流入し、当該洞空間から流出するように構成したことを特徴とする。
【００１５】
前記生息用空間層は、前記充填層に対し、上下に重ねて配置されることを特徴とする。
【発明の効果】
【００１７】
本発明にかかる増殖礁にあっては、耐久性や腐食による強度劣化を避けることができ、大きな波力が加わる浅海域に安定的に設置することができると共に、コストアップを生じることなく、飼料生物を増殖させる十分な表面積を確保することができ、さらに、表面側から内奥側に亘る全体で、恒常的に良好な潮通しを確保することができて、効率的な増殖作用を長期間にわたって確保することができる。詳細には、充填材が、アーチ状の瓦を割った割瓦であるので、増殖用モジュールを上から見下ろして、アーチが目視されるように立てて充填することで、適切に十分な容量で通水経路を確保することができる。立体フレームパーツが形成する洞空間は、立体フレームパーツを取り囲む充填材の通水経路と連通され、通水経路に流通する海水が流れ込み、また通水経路へと流れ出して、増殖用モジュール内に良好な潮通しを確保することができる。充填層と生息用空間層とを分け、生息用空間層に洞空間を形成したので、通水経路を海水がより流通しやすくなり、また、飼料生物の生息域も確保できると共に、増殖用モジュールの上端開口及び下端開口から、内奥側の生息用空間層までにわたり、恒常的に良好な潮通しを確保できて、飼料生物の増殖を促進することができる。恒常的に良好な潮通しが確保されることにより、少なくとも通水経路が短期に目詰まりしてしまうことを抑制できる。充填材として割瓦を採用しているので、一般的な石材を用いる場合よりも、目詰まりしにくく、また配列を揃えるなどすることで、締め固まっていく経年変化も抑制することができる。従って、長期にわたり、飼料生物の効率的な増殖作用を維持・促進することができる。
【図面の簡単な説明】
【００１８】
【図１】本発明に係る増殖礁の第１実施形態を示す斜視図である。
【図２】図１に示した増殖礁に備えられる筒体状増殖用モジュールを示す斜視図である。
【図３】図２に示した増殖用モジュールの側断面図である。
【図４】図２に示した増殖用モジュールの平面図である。
【図５】図２に示した増殖用モジュールに用いられる立体フレームパーツを示す斜視図である。
【図６】図１に示した増殖礁を製作するために、図２に示した増殖用モジュールをコンクリート打設用外型枠内方に設置した様子を示す斜視図である。
【図７】本発明に係る増殖礁の第２実施形態に備えられる増殖用モジュールを示す側断面図である。
【図８】図７に示した増殖用モジュールの平面図である。
【図９】図７に示した増殖用モジュールに用いられる立体フレームパーツを説明する説明図であって、図９（Ａ）は角筒状タイプ、図９（Ｂ）は円筒状タイプの斜視図である。
【図１０】第１及び第２実施形態で説明した増殖礁を上下に重ねて設置した様子を示す側面図である。
【発明を実施するための形態】
【００１９】
以下に、本発明にかかる増殖礁の好適な実施形態を、添付図面を参照して詳細に説明する。図１は、本発明に係る増殖礁の第１実施形態を示す斜視図、図２は、図１に示した増殖礁に備えられる筒体状増殖用モジュールを示す斜視図、図３は、図２に示した増殖用モジュールの側断面図、図４は、図２に示した増殖用モジュールの平面図、図５は、図２に示した増殖用モジュールに用いられる立体フレームパーツを示す斜視図、図６は、図１に示した増殖礁を製作するために、図２に示した増殖用モジュールをコンクリート打設用外型枠内方に設置した様子を示す斜視図である。
【００２０】
図１に示すように、第１実施形態に係る増殖礁１は、中央に配置され、飼料生物を増殖させるための増殖用モジュール２と、増殖用モジュール２の外周囲に形成され、増殖礁１を波力の強い浅海域に安定して設置できるようにするためのウエイトとなるコンクリート部３とから構成される。
【００２１】
図中、４は、コンクリート部３に定着して設けられ、増殖礁１の吊り上げなどに利用されるフックである。図示例では、増殖礁１は、平面外形輪郭が四角形状のブロック形態で形成されているが、円形状や多角形状など、どのような平面外形輪郭のブロック形態に形成してもよい。
【００２２】
図２〜図４に示すように、増殖用モジュール２は、上下方向に立てて用いられる、縦向きの筒体状に形成される。図示例では、増殖用モジュール２は、増殖礁１の平面外形輪郭に合わせて、平断面四角形状の筒体、言い換えれば直方体状に形成されているが、円筒体や、その他の平断面多角形状の筒体に形成してもよい。
【００２３】
増殖用モジュール２は主に、ケーシング５と、ケーシング５内部に設けられる充填層Ａ及び生息用空間層Ｂとから構成される。ケーシング５は本実施形態にあっては、前後左右４つの側面、上面及び底面を区画する直方体状フレーム６と、各側面に内張りされてこれら側面を封鎖する面材７とから構成される。
【００２４】
直方体状フレーム６のすべての側面が面材７で封鎖されることにより、ケーシング５には、上面及び底面に、上端開口５ａ及び下端開口５ｂが形成される。これら上端開口５ａ及び下端開口５ｂは、直方体状フレーム６に取付固定される上格子材８ａ及び下格子材８ｂにより、ケーシング５内部へ通水可能に封鎖される。
【００２５】
直方体状フレーム６は詳細には、四隅に配設される柱材６ａと、隣接する柱材６ａ同士を、ケーシング５の周方向に沿って、上下三段で横方向に連結する上桟材６ｂ、中桟材６ｃ及び下桟材６ｄとから構成される。上桟材６ｂ、中桟材６ｃ及び下桟材６ｄの長さ方向両端部がそれぞれ柱材６ａに接合されて、直方体状フレーム６が構成される。これら柱材６ａ、上桟材６ｂ、中桟材６ｃ、並びに下桟材６ｄにはいずれも、断面Ｌ型の鉄材やＦＲＰ材が用いられる。
【００２６】
特に、中桟材６ｃは、その出隅を柱材６ａ側に向けて接合され、これにより、ケーシング５外方へ迫り出して、定着用突縁６ｅが形成される。
【００２７】
面材７は、鉄板やＦＲＰ板で形成され、ケーシング５の各側面を塞ぐように、少なくとも隣接する一対の柱材６ａ及び下桟材６ｄに対して接合される。下格子材８ｂは、ケーシング５の底面、すなわち下端開口５ｂを塞ぐように、下桟材６ｄに接合固定される。上格子材８ａは、充填層Ａ及び生息用空間層Ｂをケーシング５内に組み込んだ後、当該ケーシング５の上面、すなわち上端開口５ａを塞ぐように、上桟材５ｂに接合固定される。これら格子材８ａ，８ｂも鉄材やＦＲＰ材で形成される。
【００２８】
増殖用モジュール２内部では、生息用空間層Ｂは、充填層Ａの間に配置して設けられる。第１実施形態では図３に示すように、生息用空間層Ｂは、充填層Ａに対し、上下に重ねて配置される。具体的には、ケーシング５、あるいは増殖用モジュール２の最上層及び最下層に充填層Ａが配置され、これら充填層Ａの間に生息用空間層Ｂが配置される。
【００２９】
充填層Ａは、図３及び図４に示すように、充填材９と充填材９との間の隙間が通水経路となるように、多数の充填材９が充填されて形成される。
【００３０】
第１実施形態では、最上層と最下層に充填層Ａが形成され、最上層の充填層Ａは、上端開口５ａと連通され、ひいては増殖用モジュール２外方の海中と連通されると共に、最下層の充填層Ａは、下端開口５ｂと連通され、最上層の充填層Ａと同様に、増殖用モジュール２外方の海中と連通される。これにより、増殖用モジュール２内部の充填層Ａには、その通水経路に海水が流通される。
【００３１】
本実施形態では、充填材９として割瓦が用いられる。充填材９として、石材や貝殻を用いるようにしてもよい。瓦材は、素焼・釉薬・いぶしなどの塗装による表面処理が施されているものが多い。アーチ状の瓦を割った割瓦の場合には、増殖用モジュール２を上から見下ろして、アーチが目視されるように立てて充填することで、適切に十分な容量で通水経路を確保することができる。
【００３２】
生息用空間層Ｂは、充填層Ａの通水経路と相互に通水可能で、当該通水経路の経路内径よりも十分に大きな容積の洞空間Ｘを形成する立体フレームパーツ１０を含んで構成される。第１実施形態では、生息用空間層Ｂは、充填材９中に、充填材９よりも小さな立体フレームパーツ１０が分散配置されて構成される。
【００３３】
本実施形態では、立体フレームパーツ１０は図５に示すように、各辺を線材でつないだ立方体状もしくは直方体状に形成されている。立体フレームパーツ１０は、球体状等、その他の形態であってもよい。立体フレームパーツ１０も、鉄材もしくはＦＲＰ材で形成される。
【００３４】
立体フレームパーツ１０が形成する洞空間Ｘは、立体フレームパーツ１０を取り囲む充填材９の通水経路と連通され、通水経路に流通する海水が流れ込み、また通水経路へと流れ出して、増殖用モジュール２内に良好な潮通しを確保する。
【００３５】
図６に示すように、増殖用モジュール２は、コンクリート部３を形成するための外型枠１１内部に設置され、これら外型枠１１と増殖用モジュール２との間にコンクリートが充填される。充填されるコンクリートによって、増殖用モジュール２の周側面を覆ってコンクリート部３が形成され、これにより、増殖礁１が作製される。中桟材６ｃの定着用突縁６ｅにより、増殖用モジュール２とコンクリート部３との付着性が高められて、これらが一体化される。
【００３６】
次に、第１実施形態に係る増殖礁１の作用について説明する。増殖礁１は、増殖用モジュール２内の充填材９及びコンクリート部３がウエイトとなって、浅海域に設置される。増殖礁１には、格子材８ａ，８ｂで封鎖されたケーシング５の上端開口５ａ及び下端開口５ｂから海水が浸入する。浸入した海水は、増殖用モジュール２の充填層Ａの通水経路を流通し、また当該通水経路から、生息用空間層Ｂ中に立体フレームパーツ１０で形成した洞空間Ｘへも流入し、当該洞空間Ｘから流出する。
【００３７】
充填層Ａと生息用空間層Ｂとを分け、生息用空間層Ｂに洞空間Ｘを形成したので、通水経路を海水がより流通しやすくなり、また、飼料生物の生息域も確保できると共に、増殖用モジュール２の表面側（上端開口５ａ及び下端開口５ｂ）から内奥側（生息用空間層Ｂ）までにわたり、恒常的に良好な潮通しを確保できて、飼料生物の増殖を促進することができる。
【００３８】
また、恒常的に良好な潮通しが確保されることにより、少なくとも通水経路が短期に目詰まりしてしまうことを抑制できる。本実施形態では、充填材９として割瓦を採用しているので、一般的な石材を用いる場合よりも、目詰まりしにくく、また配列を揃えるなどすることで、締め固まっていく経年変化も抑制することができる。従って、長期にわたり、飼料生物の効率的な増殖作用を維持・促進することができる。
【００３９】
増殖礁１は、コンクリート部３を備えて構成されているので、大きな波力が加わる浅海域に安定して設置することができる。増殖礁１は、割瓦を採用した充填材９、鉄製やＦＲＰ製のケーシング５及び格子材８ａ，８ｂ、並びにコンクリート部３から構成されるので、耐久性に優れ、腐食による強度劣化を抑制することができる。割瓦を用いた充填層Ａや生息用空間層Ｂを備えるので、飼料生物を増殖させる表面積を、コストアップなく確保することができる。
【００４０】
図７〜図９には、本発明に係る増殖礁の第２実施形態が示されている。以下、第１実施形態と異なる構成について説明する。図７は、第２実施形態に係る増殖礁の増殖用モジュールを示す側断面図、図８は、図７に示した増殖用モジュールの平面図、図９は、図７に示した増殖用モジュールに用いられる立体フレームパーツを説明する説明図であって、図９（Ａ）は角筒状タイプ、図９（Ｂ）は円筒状タイプの斜視図である。
【００４１】
第２実施形態では、図７及び図８に示すように、生息用空間層Ｂは、増殖用モジュール２を構成するケーシング５の上下縦向き方向に一連に通水可能に、ケーシング５の上端開口５ａから下端開口５ｂに達する長さで形成された立体フレームパーツ１０で構成される。
【００４２】
立体フレームパーツ１０は、図９（Ａ）に示すように、四隅の縦向き線材１０ａと、隣接する縦向き線材１０ａ同士を、上下多段で横方向に連結する横向き線材１０ｂとによって、角筒状に形成される。あるいは、立体フレームパーツ１０は、図９（Ｂ）に示すように、上下方向に間隔を隔てて配列した円形状線材１０ｃを、それらの周りに配列した複数本の縦向き線材１０ａで連結して、円筒状に形成される。
【００４３】
立体フレームパーツ１０は例えば、下格子材８ｂに番線等で仮止めして設置される。立体フレームパーツ１０は、増殖用モジュール２内部にこれを上下に貫通する大きな空間を確保する態様で、生息用空間層Ｂを形成する。第２実施形態では、生息用空間層Ｂは、上端開口５ａ及び下端開口５ｂと直接連通され、増殖用モジュール２外方の海中と連通されて、その内部に海水が流通される。
【００４４】
第２実施形態では、立体フレームパーツ１０自体で形成された生息用空間層Ｂの周囲に、第１実施形態と同様に、充填層Ａが形成される。従って、第２実施形態では、生息用空間層Ｂの周囲に、前後左右に並べる形態で、充填層Ａが配置される。第２実施形態では、横並びの充填層Ａは、上端開口５ａ及び下端開口５ｂと連通され、ひいては増殖用モジュール２外方の海中と連通されて、それらの通水経路に海水が流通される。
【００４５】
立体フレームパーツ１０は、これを取り囲む充填層Ａの通水経路にも連通され、通水経路を流通する海水が流れ込み、また通水経路へと流れ出して、良好な潮通しが確保される洞空間Ｘを有する生息用空間層Ｂを形成する。
【００４６】
次に、第２実施形態に係る増殖礁１の作用について説明する。第２実施形態の増殖礁１には、格子材８ａ，８ｂで封鎖されたケーシング５の上端開口５ａ及び下端開口５ｂから海水が浸入する。浸入した海水は、洞空間Ｘを構成する立体フレームパーツ１０で形成した生息用空間層Ｂに直接流入すると同時に、充填層Ａの通水経路にも流通し、当該通水経路に流入した海水はさらに、生息用空間層Ｂの洞空間Ｘへも流入し、また当該洞空間Ｘから流出する。
【００４７】
充填層Ａと生息用空間層Ｂとを分け、生息用空間層Ｂに洞空間Ｘを形成したので、通水経路を海水がより流通しやすくなり、また、飼料生物の生息域も確保できると共に、増殖用モジュール２の表面側（上端開口５ａ及び下端開口５ｂ）から内奥側までにわたり、恒常的に良好な潮通しを確保できて、飼料生物の増殖を促進することができる。
【００４８】
また、第２実施形態では、立体フレームパーツ１０で形成される洞空間Ｘが増殖用モジュール２を上下方向に貫通していて、水流を上下に流通させることができるので、波力が増殖礁１を浮き上がらせる揚圧力を緩和することができ、増殖礁１の設置安定性を向上することができる。変形例として、充填層Ａ中の上下中間部分に、上記第１実施形態の立体フレームパーツ１０を点在させて設置するようにしてもよい。
【００４９】
図１０には、上記第１及び第２実施形態の変形例が示されている。図１０は、第１及び第２実施形態で説明した増殖礁１を上下に重ねて設置した様子を示す側面図である。図示するように、コンクリート部３に脚部３ａを形成し、上下に配置される増殖礁１間に、脚部３ａで海水が流入する間隙を確保するようにして、一箇所に増殖礁１を多段に設置するようにしてもよい。
【符号の説明】
【００５０】
１  増殖礁
２  増殖用モジュール
３  コンクリート部
５  ケーシング
５ａ  上端開口
５ｂ  下端開口
８ａ，８ｂ  格子材
９  充填材
１０  立体フレームパーツ
Ａ  充填層
Ｂ  生息用空間層
Ｘ  洞空間
【図１】
0006580354.tif 000002
【図２】
0006580354.tif 000003
【図３】
0006580354.tif 000004
【図４】
0006580354.tif 000005
【図５】
0006580354.tif 000006
【図６】
0006580354.tif 000007
【図７】
0006580354.tif 000008
【図８】
0006580354.tif 000009
【図９】
0006580354.tif 000010
【図１０】
0006580354.tif 000011